(57)【要約】【課題】  内蔵式スライドレールの内スライドレールのボールブシュ装置の提供。【解決手段】  ボールブシュのブシュ本体の上壁面の中間部分近くに一体に薄い部分が設けられ、切り離して簡単な構造の型と簡単な専用機を組み合わせてボールをその各収容溝に取り付けられ、組立の速度が速く且つ大幅に組立専用機と型のコストを減らせる。このほか、ブシュ本体の各収容溝内の隣り合う対向壁面に位置決め凹縁がありボールの両側を嵌め込め、ボールの離脱を防止し良好な位置決め効果を具備し、製品歩留りを高め組立過程中でボール脱出の恐れがなく、直接簡単な専用機で内蔵式スライドレールの内スライドレール上方に組付けることができ、製造コスト節約と組立が簡単快速である効果を達成する。【選択図】        図３
0003108903.tif 000002
【実用新案登録請求の範囲】
【請求項１】
内蔵式スライドレールの内スライドレールのボールブシュ装置であり、該ボールブシュ装置は、逆Ｕ形のブシュ本体を具え、該ブシュ本体に４列の離間配置された複数の収容溝が設けられ、並びに各列の収容溝が逆Ｕ形のブシュ本体の内部空間の四つの角に位置し、且つ４列の収容溝にそれぞれボールが取り付けられ、これにより、ボールブシュ装置が内蔵式スライドレールの内スライドレールの上方にスライド式に組み合わされる時、この４列の収容溝に設けられたボールの内側が内蔵式スライドレールの内スライドレールの四つの角度方向の凹円弧滑り溝と接触する、内蔵式スライドレールの内スライドレールのボールブシュ装置において、
該ボールブシュ装置のブシュ本体の上壁面の中間に近い位置に一体射出成形により所定の幅の薄い部分が設けられて、切り離してボールを取り付けた後に内蔵式スライドレールの内スライドレールの上方に嵌合可能とされ、且つそのうち、該ボールブシュ装置の各収容溝内の隣り合う対向壁面に位置決め凹縁が設けられ、各収容溝内に取り付けられたビーズの両側が位置決め凹縁に当接してボールの脱出が防止され、良好な位置決めが達成されることを特徴とする、内蔵式スライドレールの内スライドレールのボールブシュ装置。
【請求項２】
請求項１記載の内蔵式スライドレールの内スライドレールのボールブシュ装置において、ボールブシュ装置のブシュ本体の上壁面の薄い部分に貫通部分が設けられたことを特徴とする、内蔵式スライドレールの内スライドレールのボールブシュ装置。
【請求項３】
請求項１記載の内蔵式スライドレールの内スライドレールのボールブシュ装置において、ボールブシュ装置のブシュ本体の各位置決め凹縁が円弧状とされてボールの自由回転を維持することを特徴とする、内蔵式スライドレールの内スライドレールのボールブシュ装置。
【考案の詳細な説明】
【技術分野】
【０００１】
本考案は内蔵式スライドレールの内スライドレールのボールブシュ装置に係り、特に、ブシュ本体の上壁面に一体に凹んだ薄い部分が設けられて切り離してボールが組付けるのに便利とされ、且つ各収容溝内の隣り合う対向壁面に位置決め凹縁が設けられ、ボール取り付け後の離脱を防止して良好な位置決め効果を有し、製品歩留りを高めると共に、組立専用機を簡易化し製造コストを減らすことができる、内蔵式スライドレールの内スライドレールのボールブシュ装置に関する。
【背景技術】
【０００２】
周知の内蔵式スライドレールのボールブシュ装置６は、図１に示されるように、逆Ｕ形のブシュ本体６１を具え、該ブシュ本体６１が四つの角度方向に４列の収容溝６１１を具え、所定の型と専用機でブシュ本体６１に四つの角度方向のボール７が取り付けられ、更に内蔵式スライドレールの内スライドレール８（図２）及び外スライドレール９と組み合わされる。これは容易に不良品を発生するのみならず、組立過程が面倒で時間を浪費し、特に型と専用機が高価である。これは、ボール７が四つの方向よりブシュ本体６１の収容溝６１１に取り付けられ、このためブシュ本体６１を取り付ける型が複雑で、且つ内、外スライドレール８、９との組合せは、随時ボール７のブシュ本体６１からの脱出を防止するため、小部分ずつボール７を取り付けては内スライドレール８と外スライドレール９の小部分と組合せる必要があり、このような複雑な動作に合わせるために、型と専用機の構造も複雑となり製造コストが増すことに原因がある。
【考案の開示】
【考案が解決しようとする課題】
【０００３】
本考案は一種の内蔵式スライドレールの内スライドレールのボールブシュ装置を提供することを目的とし、それは、ボールブシュ装置のブシュ本体の上壁面の中間に近い位置に薄い部分が設けられて、切り離して簡単な構造の型と簡単な専用機を組み合わせてボールを各収容溝に取り付けることができ、組立の速度が快速で大幅に組立専用機と型のコストを減らせるものとする。
【０００４】
本考案はまた一種の内蔵式スライドレールの内スライドレールのボールブシュ装置を提供することを目的とし、それは、ブシュ本体の各収容溝内の隣り合う対向壁面に位置決め凹縁が設けられてボールの両側の嵌め込みに供され、ボールを離脱防止し良好な位置決め効果を有し、これにより製品歩留りを高め組立過程中でのボール脱出の心配を無くし、直接簡単な専用機で内蔵式スライドレールの内スライドレール上方に組付けられて製造コストを節約でき、組立が簡単快速な効果を達成する内蔵式スライドレールの内スライドレールのボールブシュ装置であるものとする。
【課題を解決するための手段】
【０００５】
請求項１の考案は、内蔵式スライドレールの内スライドレールのボールブシュ装置であり、該ボールブシュ装置は、逆Ｕ形のブシュ本体を具え、該ブシュ本体に４列の離間配置された複数の収容溝が設けられ、並びに各列の収容溝が逆Ｕ形のブシュ本体の内部空間の四つの角に位置し、且つ４列の収容溝にそれぞれボールが取り付けられ、これにより、ボールブシュ装置が内蔵式スライドレールの内スライドレールの上方にスライド式に組み合わされる時、この４列の収容溝に設けられたボールの内側が内蔵式スライドレールの内スライドレールの四つの角度方向の凹円弧滑り溝と接触する、内蔵式スライドレールの内スライドレールのボールブシュ装置において、
該ボールブシュ装置のブシュ本体の上壁面の中間に近い位置に一体射出成形により所定の幅の薄い部分が設けられて、切り離してボールを取り付けた後に内蔵式スライドレールの内スライドレールの上方に嵌合可能とされ、且つそのうち、該ボールブシュ装置の各収容溝内の隣り合う対向壁面に位置決め凹縁が設けられ、各収容溝内に取り付けられたビーズの両側が位置決め凹縁に当接してボールの脱出が防止され、良好な位置決めが達成されることを特徴とする、内蔵式スライドレールの内スライドレールのボールブシュ装置としている。
請求項２の考案は、請求項１記載の内蔵式スライドレールの内スライドレールのボールブシュ装置において、ボールブシュ装置のブシュ本体の上壁面の薄い部分に貫通部分が設けられたことを特徴とする、内蔵式スライドレールの内スライドレールのボールブシュ装置としている。
請求項３の考案は、請求項１記載の内蔵式スライドレールの内スライドレールのボールブシュ装置において、ボールブシュ装置のブシュ本体の各位置決め凹縁が円弧状とされてボールの自由回転を維持することを特徴とする、内蔵式スライドレールの内スライドレールのボールブシュ装置としている。
【考案の効果】
【０００６】
本考案の内蔵式スライドレールの内スライドレールのボールブシュ装置は、ボールブシュのブシュ本体の上壁面の中間部分近くに一体に薄い部分が設けられ、切り離して簡単な構造の型と簡単な専用機を組み合わせてボールをその各収容溝に取り付けられ、組立の速度が速く且つ大幅に組立専用機と型のコストを減らせる。このほか、ブシュ本体の各収容溝内の隣り合う対向壁面に位置決め凹縁がありボールの両側を嵌め込め、ボールの離脱を防止し良好な位置決め効果を具備し、製品歩留りを高め組立過程中でボール脱出の恐れがなく、直接簡単な専用機で内蔵式スライドレールの内スライドレール上方に組付けることができ、製造コスト節約と組立が簡単快速である効果を達成する。
【考案を実施するための最良の形態】
【０００７】
図３から図６に示されるように、本考案の内蔵式スライドレールの内スライドレールのボールブシュ装置によると、該ボールブシュ装置１は、逆Ｕ形のブシュ本体１１を具え、該ブシュ本体１１に４列の離間配置された複数の収容溝１１１、１１２、１１３、１１４（図３）が設けられ、並びに各列の収容溝１１１、１１２、１１３、１１４が逆Ｕ形のブシュ本体１１の内部空間の四つの角に位置し、且つ４列の収容溝１１１、１１２、１１３、１１４にそれぞれボール２が取り付けられ、これにより、ボールブシュ装置１が内蔵式スライドレールの内スライドレール３の上方にスライド式に組み合わされる時、この４列の収容溝１１１、１１２、１１３、１１４に設けられたボール２の内側が内蔵式スライドレールの内スライドレール３の四つの角度方向の凹円弧滑り溝３１、３２、３３、３４と接触し、該４列の収容溝１１１、１１２、１１３、１１４に設けられたボール２の外側が外スライドレール４の内部の四つの角の円弧部４１、４２、４３、４４に接触し、これにより、ボールブシュ装置１が内スライドレール３と外スライドレール４の間に挟持される。
【０００８】
本考案の特徴は以下のとおりである。
該ボールブシュ装置１のブシュ本体１１の上壁面１１０の中間に近い位置に一体射出成形により所定の幅の薄い部分１１０１が設けられて、切り離してボール２を取り付けた後に内蔵式スライドレールの内スライドレール３の上方に嵌合可能とされ、且つそのうち、該ボールブシュ装置１の各収容溝１１１、１１２、１１３、１１４内の隣り合う対向壁面に位置決め凹縁１１１１、１１２１、１１３１、１１４１が設けられ、各収容溝１１１、１１２、１１３、１１４内に取り付けられたボール２の両側２１が位置決め凹縁１１１１、１１２１、１１３１、１１４１に当接してボール２の脱出が防止され、良好な位置決め効果とボールブシュ装置１と内スライドレール３の組合せが簡便快速に行なわれる長所を有し、並びにこれにより組立機械の構造が簡易化されて大幅に製造コストが減らされる。
【０００９】
さらに、前述のボールブシュ装置１のブシュ本体１１の上壁面１１０の薄い部分１１０１に別に貫通部分１１０２が設けられている。
【００１０】
更に、前述のボールブシュ装置１のブシュ本体１１の各位置決め凹縁１１１１、１１２１、１１３１、１１４１は円弧状とされてボール２の自由回転を維持できるものとされる。
【００１１】
本考案は以下のような機能が増されている。
１．ボールブシュ装置１のブシュ本体１１の上壁面１１０の中間に近い位置に薄い部分１１０１が設けられて、切り離して簡単な構造の型と簡単な専用機を組み合わせてボール２を各収容溝１１１、１１２、１１３、１１４に取り付けることができ、組立の速度が快速で大幅に組立専用機と型のコストを減らせるものとする。
２．ブシュ本体１１の各収容溝１１１、１１２、１１３、１１４内の隣り合う対向壁面に位置決め凹縁１１１１、１１２１、１１３１、１１４１が設けられてボール２の両側の嵌め込みに供され、ボール２を離脱防止し良好な位置決め効果を有し、これにより製品歩留りを高め組立過程中でのボール脱出の心配を無くし、直接簡単な専用機で内蔵式スライドレールの内スライドレール上方に組付けられて製造コストを節約でき、組立が簡単快速な効果を達成する。
【図面の簡単な説明】
【００１２】
【図１】周知の内蔵式スライドレールの内スライドレールのボールブシュ装置と内スライドレールと外スライドレールの立体分解図である。
【図２】周知の内蔵式スライドレールの内スライドレールのボールブシュ装置と内スライドレールと外スライドレールの組合せ側面図である。
【図３】本考案の実施例のボールを取り付け前の立体分解図である。
【図４】本考案の実施例のボールを取り付け前の立体組合せ図である。
【図５】本考案の実施例と内蔵式スライドレールの内スライドレール、外スライドレールの立体分解図である。
【図６】本考案の実施例と内蔵式スライドレールの内スライドレールが組み合わされた後、外スライドレールと組合せ前の立体組合せ図である。
【符号の説明】
【００１３】
１  ボールブシュ装置
１１  ブシュ本体
１１１、１１２、１１３、１１４  収容溝
１１０  上壁面
１１０１  薄い部分
１１０２  貫通部分
１１１１、１１２１、１１３１、１１４１  位置決め凹縁
２  ボール
３  内スライドレール
３１、３２、３３、３４  凹円弧滑り溝
４  外スライドレール
４１、４２、４３、４４  円弧部
【図１】
0003108903.tif 000003
【図２】
0003108903.tif 000004
【図３】
0003108903.tif 000005
【図４】
0003108903.tif 000006
【図５】
0003108903.tif 000007
【図６】
0003108903.tif 000008